(57)【要約】本発明は、棒状の物品（Ａ）を収納するための及び取り出し開口部（９）を通じて手が届く内部空間を構成する外側包装体（２）を備える棒状の物品（Ａ）用の包装箱（１）に関する。包装箱（１）は、外側包装体（２）内部に位置する内部引出し（１２）と、上方自由端縁（２１）が開口部（９）を通じて手が届く状態で、外側包装体（２）内部に位置するスリーブ（１９）とを備える。スリーブ（１９）は、棒状の物品（Ａ）の長手方向軸がスリーブ（１９）の長手方向軸（２０）に平行な状態で一様に間隔をおいて配置されている棒状の物品（Ａ）を受け、支持するように構成される。スリーブ（１９）は、内部引出し（１２）の外部に丸く巻かれている。外側包装体（２）は、内部引出し（１２）においてスリーブ（１９）の側壁（２３）に対向して、少なくとも一方の摺動力（Ｆ１，Ｆ２）をスリーブ（１９）に加えることを可能にし、内部引出し（１２）及び外側包装体（２）に対して同じスリーブ（１９）の回転（Ｒ）を発生させる少なくとも１つの開口部（１０，１１）を有する。
2018519224.tif 000002
【特許請求の範囲】
【請求項１】
棒状の物品（Ａ）を収納するための及び取り出し開口部（９）を通じて手が届く内部空間を構成する外側包装体（２）を備える前記棒状の物品（Ａ）用の包装箱（１）であって、
前記外側包装体（２）内部に位置するスリーブ（１９）であって、前記棒状の物品（Ａ）の長手方向軸が前記スリーブ（１９）の長手方向軸（２０）に平行な状態で配置されている前記棒状の物品（Ａ）を支持し、前記長手方向軸（２０）に対して横断方向に延びている閉経路に沿って、前記外側包装体（２）内部において前記棒状の物品（Ａ）を移動させるように構成されるスリーブ（１９）
を備え、
前記閉経路は、少なくとも１つの細長い物品（Ａ）を、前記開口部（９）を通じて手が届くものにするように構成され、
前記外側包装体（２）は、前記スリーブ（１９）の側壁（２３）に対向している少なくとも１つの開口部（１０，１１）を有し、
前記包装箱は、
前記スリーブ（１９）に挿入され、前記開口部（１０，１１）に設けられて、少なくとも一方の摺動力（Ｆ１，Ｆ２）を前記スリーブ（１９）に加えることを可能にし、前記閉経路に沿って前記長手方向軸（２０）周りに前記同じスリーブ（１９）の回転（Ｒ）を発生させる少なくとも１つの接触ガイド要素
を備える、包装箱。
【請求項２】
前記スリーブ（１９）は、前記スリーブ（１９）の上方自由端縁（２１）が前記開口部（９）を通じて手が届く状態で、前記外側包装体（２）内部に位置する、請求項１に記載の包装箱（１）。
【請求項３】
前記スリーブ（１９）は、前記スリーブの前記側壁（２３）に沿って一様に間隔をおいて配置されている前記棒状の物品（Ａ）を支持するように構成される、請求項１から２のうち１つ又は複数の請求項に記載の包装箱（１）。
【請求項４】
前記接触ガイド要素は、内部引出し（１２）を備える、請求項１から３のうち１つ又は複数の請求項に記載の包装箱（１）。
【請求項５】
前記スリーブ（１９）は、前記内部引出し（１２）の外部を取り巻いて巻かれている、請求項４に記載の包装箱（１）。
【請求項６】
前記内部引出し（１２）は、丸みを帯びた鉛直方向端縁を有する堅いパックのように作られ、
前記長手方向軸（２０）に沿って測定される前記スリーブ（１９）の前記長手方向の寸法は、前記内部引出し（１２）の対応する長手方向の寸法よりも大きい、
請求項５に記載の包装箱（１）。
【請求項７】
前記包装箱（１）の組立構成において、前記内部引出し（１２）は、前記包装箱の底面壁（４）に載置し、前記外側包装体（２）の前記開口部（１０，１１）において少なくとも部分的に広がる第１の区間（Ｌ１）にわたって前記スリーブ（１９）と軸方向に重なり合い、
前記スリーブ（１９）は、第２の区間（Ｌ２）にわたって前記内部引出し（１２）に対して上方に立っている、
請求項４又は５又は６のいずれか１項に記載の包装箱（１）。
【請求項８】
前記側壁（２３）は、前記長手方向軸（２０）周りに巻かれており、前記スリーブ（１９）内部の前記内部空間に面している内面（２３ａ）及び前記スリーブが中に挿入されている場合に前記外側包装体（２）に面している外面（２３ｂ）を構成する可撓性支持テープ（３００）によって作られる、請求項１から７のうち１つ又は複数の請求項に記載の包装箱（１）。
【請求項９】
前記スリーブ（１９）は、複数の細長空洞（２４）を備え、
各細長空洞（２４）は、長手方向軸（２５）に沿って延在して、前記細長空洞（２４）の前記長手方向軸（２５）に沿って摺動可能に、前記細長空洞（２４）に挿入可能な及び前記細長空洞（２４）から抽出可能である細長い物品（Ａ）を収納し、
前記細長空洞（２４）の前記長手方向軸（２５）は、互いに及び前記スリーブ（１９）の前記長手方向軸（２０）に平行である、
請求項１から８のうち１つ又は複数の請求項に記載の包装箱（１）。
【請求項１０】
前記スリーブ（１９）は、それぞれが、細長い物品（Ａ）を収納するように設計される複数の細長空洞（２４）を有し、
前記細長空洞（２４）は、好ましくは、可撓性支持テープ（３００）に貼り付けられる固定テープ（４００）によって、前記側壁（２３）から突き出るように形成され、
前記空洞は、それぞれが、前記スリーブ（１９）の自由上方端縁（２１）から手が届く開口部（２６）を有する、
請求項９に記載の包装箱（１）。
【請求項１１】
各細長空洞（２４）は、前記細長空洞の開口部（２６）と反対側の端に、前記細長空洞（２４）の内部に面している支持台（２７）を有し、
前記支持台（２７）は、好ましくは、固定テープ（４００）又は可撓性支持テープ（３００）の折り重ねられている一部分によって作られる、
請求項９又は１０に記載の包装箱（１）。
【請求項１２】
前記細長空洞（２４）は、前記スリーブ（１９）内部の前記内部空間に面し、好ましくは、前記スリーブ（１９）の内面（２３ａ）において前記側壁（２３）から突き出るように形成されている、請求項１から１１のうち１つ又は複数の請求項に記載の包装箱（１）。
【請求項１３】
前記スリーブ（１９）は、それぞれが、細長い物品（Ａ）を収納するように設計される複数の細長空洞（２４）を有し、
前記細長空洞（２４）は、前記第２の区間（Ｌ２）よりも小さい又は前記第２の区間（Ｌ２）と等しい区間にわたって、それぞれの長手方向軸（２５）に沿って延在する、
請求項７に記載の包装箱（１）。
【請求項１４】
前記スリーブ（１９）は、それぞれが、細長い物品（Ａ）を収納するように設計される複数の細長空洞（２４）を有し、
前記細長空洞（２４）は、可撓性支持テープ（３００）に固定テープ（４００）を貼り付けることによって形成され、
前記長手方向軸（２０）に沿って測定される前記固定テープ（４００）の１つの寸法は、前記第２の区間（Ｌ２）と等しい、
請求項７に記載の包装箱（１）。
【発明の詳細な説明】
【技術分野】
【０００１】
本発明は、成形された物品用の包装箱に関する。
【０００２】
より具体的には、本発明は、電子式タバコの補充品及び紙巻きたばこ等のスティック状の物品を収納するために有利に用いることができる包装箱に関するが、また、例えば甘草スティック又は細長いチョコレート等の物品を収容するのに非常に十分に適している。
【背景技術】
【０００３】
通常、この種類の物品を収容するために用いられる包装箱において、物品は、通常、互いに及び包装箱の長手方向の延在方向に平行な長手方向軸に沿って並べられている。
【０００４】
この種類の包装箱の上端部分は、通常、上端全体を覆い、消費者が物品を取り出すことができるように、包装箱内部の全ての物品の上端をむき出しにするように開くことができるリッドを備える。リッドは、相対的に広範でなければならないが、なぜなら、そうでなければ、不可能ではないにしても、見えないように隠れた物品を見て取り出すことが非常に困難だからである。
【０００５】
しかしながら、従来技術の包装箱のこの特徴が、リッドが誤って開いた場合（例えば、ハンドバッグ又は衣服のポケット内の包装箱が揺さぶられる場合）、リッドの大きさが大きいことによって、全ての物品が包装箱から落下し易いという主な短所の理由になっている。
【０００６】
また、包装箱内部の物品の上記の配置構成によって、一定数の物品が包装箱から取り出された後に残った物品が、正確な鉛直方向の位置を失う可能性が非常に高く、物品を掴んで取り出すことがより困難になる。実際、この状況において、物品は、もはや、正確な位置に互いに支え合わず、むしろ、ひっくり返り、包装箱内部において水平方向に位置しやすい。このようなことが起こった場合に、物品は、包装箱が移動されるときに制御できず、互いに衝突し合い破損しやすく、消費者が相対的に物品を取り出し難くなる。
【発明の概要】
【０００７】
本発明の目的は、公知の種類の包装箱に関連した上述の短所が無い棒状の物品用の包装箱を提供することにある。
【０００８】
本発明によれば、添付の特許請求の範囲に記載の内容に従って作られた棒状の物品用の包装箱が提供される。
【図面の簡単な説明】
【０００９】
本発明について、本発明の実施形態を示す添付の図面を参照しながら、下記に記載する。なお、本発明の実施形態は、本発明を限定するものではない。
【００１０】
【図１】本発明に従って作られた包装箱の実施形態の斜視図である。
【図２】本発明に従って作られた包装箱の、図１とは異なる実施形態の斜視図である。
【図３】図１の包装箱を作るために用いられる２枚のブランクの一方を示す平面図である。
【図４】図１の包装箱を作るために用いられる２枚のブランクの他方を示す平面図である。
【図５】図１及び図２の包装箱のそれぞれの内部構成要素を構成する２枚の単片のシート材料の一方を示す平面図である。
【図６】図１及び図２の包装箱のそれぞれの内部構成要素を構成する２枚の単片のシート材料の他方を示す平面図である。
【図７】図５及び図６のシート材料の単片を用いて作られる図１及び図２の包装箱の内部構成要素を示す斜視図である。
【図８】図７とは尺度が異なる、図５及び図６のシート材料の単片を用いて作られる図１及び図２の包装箱の内部構成要素を示す斜視図である。
【図９】図１の包装箱の部分を示す斜視図である。
【図１０】図１の包装箱の部分を示す斜視図である。
【図１１】図１の包装箱の分解図である。
【図１２】図２の包装箱を作るために用いることができるブランクの平面図である。
【図１３】内部構成要素の一部が示されている図２の包装箱の斜視図である。
【発明を実施するための形態】
【００１１】
図１を参照すると、符号１は、例えば、電子式タバコ又は電子式タバコ内の噴霧液を発するための物質のカートリッジ等のタバコ業界の物品から成る棒状の物品Ａ用の包装箱の全体を示す。
【００１２】
包装箱１は、例えば、板紙等からなり、その向かい合う軸方向端において、両方とも略押し潰された楕円形形状を有する上面壁３及び底面壁４によって限定されている外側包装体２を備える。外側包装体２は、互いに平行で略平らである長手方向のフロントバンド５及び長手方向のリアバンド６と、互いに向かい合っており、フロントバンド５及びリアバンド６を互いに連結する２つの長手方向の円弧状側部バンド７，８とによって構成されている側面を有する。
【００１３】
上面壁３の軸方向端部分及びその下にある円弧状側部バンド７の軸方向端部分は、内部空間に、ひいては、包装箱１の内容物に手が届くようにする上部開口部９を形成するように切り取られている。包装箱１を開く前に、開口部９は、図２の包装箱１’を参照して下記に記載するものと同様に、必要に応じて、包装箱１が初めて開かれるときに裂くことができる易裂性の脆弱ラインによって外側包装体２の他の部分に連結されている上面壁３の一部及びその下にある円弧状側部バンド７の一部によって閉じてもよい。
【００１４】
添付の図面に示すように、開口部９は、単一の細長い物品Ａに実質的に対応する上面壁３の限定された部分において広がる。好ましくは、開口部９は、（短い横断方向の上部端縁に沿って）包装箱１の１つのコーナーに位置する。
【００１５】
包装箱１の下部区域に位置しているそれぞれの横方向に中間の及び相互に向かい合う区域において、フロントバンド５及びリアバンド６は、略矩形形状であり、互いによく似ているそれぞれの開口部１０及び１１を有する。
【００１６】
より具体的には、外側包装体２は、好ましくは、裂くことによって開封可能であり、例えば、（上面壁３がその下にあるバンド７と交わる場所の近くの）上部コーナーに位置する開口部９を備え、平行六面体又は楕円の形状を有する箱／パッケージによって構成されている。
【００１７】
図３に示すように、外側包装体２は、平らなブランク１００を折り畳むことによって作られる。
【００１８】
図３に示すように、ブランク１００は、略細長の矩形形状を有し、長手方向軸１０１に沿って延在し、図３の左から右の順に符号１０２，１０３，１０４，１０５及び１０６を付されている５つの略矩形の横断方向の壁を有する。横断方向の壁１０２，１０３，１０４，１０５及び１０６は、軸１０１に垂直であり、それぞれ、左から右の順に、符号１０７，１０８，１０９及び１１０を付されている線によって対になって互いに連結されている。
【００１９】
ブランク１００はまた、それぞれ、図３において、その上部及び下部区域において、符号１１１及び１１２を付されている２本の横断方向に脆弱折曲ラインを備える。
【００２０】
壁１０３及び１０５に沿って、軸１０１に垂直であり、互いの近くで延びている複数の脆弱ライン１１３があり、一方、図３の壁１０４及び１０６の下部の区域において、略矩形形状であり、側部が壁１０４及び１０６のそれぞれの側部に平行であるそれぞれの開口部１１４及び１１５がある。
【００２１】
略押し潰された楕円形形状を有する２つのパネル１１６及び１１７は、それぞれ、壁１０４の下部及び１０６の下部を規定する脆弱ライン１１１の部分に接続されている。２つのパネル１１６及び１１７は、それぞれ、その外周部分を構成する（軸１０１に平行であり、それぞれの円弧状区間１２０によって、２つ１組で、切れ目無く、対応するパネル１１６及び１１７の自由端縁の端に連結されている）直線区間１１８，１１９によって壁１０４及び１０６に接続されている。
【００２２】
各パネル１１６，１１７は、それぞれの壁１０４，１０６の両側から軸１０１の方向に沿って突出するそれぞれの円弧状区間１２０を有する。
【００２３】
２つの更なるパネル１２１及び１２２は、それぞれ、壁１０４の上部及び壁１０６の上部を規定する脆弱ライン１１２の部分に接続されている。パネル１２１及び１２２が、壁１０５の上方において円弧状区間１２０を有さず、それらの対向している部分において、それぞれの直線の側部１２３によって規定されていることを除けば、脆弱ライン１１２に対するパネル１２１及び１２２の形状及び位置は、脆弱ライン１１１に対するパネル１１６及び１１７の形状及び位置を実質的に反映する。
【００２４】
パネル１１６及び１１７と交互になって、それぞれ、壁１０３及び１０５に接続されているそれぞれのタブ１２４，１２５がある。タブ１２６は、壁１０３の上部を規定する脆弱ライン１１２の部分に接続されている。軸１０１に垂直な方向に、壁１０５は、壁１０３よりも短く、脆弱ライン１１１と脆弱ライン１１１及び１１２によって規定されているエリア内部に位置する一方の側部１２７との間に延在する。
【００２５】
壁１０２は、軸１０１に垂直なその１つの側部１２９において、開口部１１５の一部と同様の形状及び大きさである凹み１２８を有する。
【００２６】
ブランク１００から外側包装体２の状態に移行するにおいて、壁１０６は、長手方向のフロントバンド５に対応し、壁１０４は、長手方向のリアバンド６に対応する。これにより、ブランク１００の開口部１１５及び１１４は、外側包装体２の開口部１０及び１１を構成する。壁１０３及び１０５は、それぞれ、２つの向かい合う長手方向の円弧状バンド７及び８を構成する。壁１０２は、外側包装体において、壁１０６に部分的に重ねられる接続壁である。
【００２７】
パネル１１６及び１１７は、タブ１２４及び１２５と共に、外側包装体２の底面壁４を構成し、一方では、パネル１２１及び１２２は、タブ１２６と共に、外側包装体２の上面壁３を構成する。側部１２３及び１２７は、外側包装体２の上方開口部９の端縁を構成する。
【００２８】
包装箱１はまた、外側包装体２内部に位置する内部引出し１２を備える。図１１に示すように、内部引出し１２は、例えば板紙等で、丸みを帯びた鉛直方向端縁を有する堅いパッケージのように作られる。
【００２９】
内部引出し１２は、好ましくは、その向かい合う軸方向端において、両方とも略押し潰された楕円形形状を有する上面壁１３及び底面壁１４によって限定されている。内部引出し１２は、互いに平行で略平らである長手方向のフロントバンド１５及び長手方向のリアバンド１６と、互いに向かい合っており、フロントバンド１５及びリアバンド１６を互いに連結する２つの長手方向の円弧状側部バンド１７，１８とによって構成されている側面を有する。考えられる代替の実施形態において、上面壁１３及び底面壁１４は、存在せず、或いは、上面壁１３又は底面壁１４のみが、存在する。
【００３０】
図４に示すように、内部引出し１２は、平らなブランク２００を折り畳むことによって作られる。
【００３１】
図４に示すように、ブランク２００は、略細長の矩形形状を有し、長手方向軸２０１に沿って延在し、図４の左から右の順に符号２０２，２０３，２０４，２０５及び２０６を付されている５つの略矩形の横断方向の壁を有する。横断方向の壁２０２，２０３，２０４，２０５及び２０６は、軸２０１に垂直であり、それぞれ、左から右の順に、符号２０７，２０８，２０９及び２１０を付されている線によって対になって互いに連結されている。
【００３２】
ブランク２００はまた、それぞれ、図４において、その上部及び下部区域における符号２１１及び２１２を付されている２本の横断方向に脆弱折曲ラインを備える。
【００３３】
壁２０３及び２０５に沿って、軸２０１に垂直であり、互いの近くで延びている複数の脆弱ライン２１３がある。
【００３４】
２つのパネル２１４及び２１５は、それぞれ、壁２０４の下部及び壁２０６の下部を規定する脆弱ライン２１１の部分に接続されている。
【００３５】
２つの更なるパネル２１６及び２１７は、それぞれ、壁２０４の上部及び壁２０６の上部を規定する脆弱ライン２１２の部分に接続されている。脆弱ライン２１２に対するパネル２１６及び２１７の形状及び位置は、脆弱ライン２１１に対するパネル２１４及び２１５の形状及び位置を実質的に反映している。
【００３６】
パネル２１４及び２１５，２１６及び２１７と交互になって、それぞれのタブ２１８，２１９，２２０，２２１がある。タブ２１８及び２２０は、それぞれ、脆弱ライン２１１及び２１２において、壁２０３に接続されている。タブ２１９及び２２１は、それぞれ、脆弱ライン２１１及び２１２において、壁２０５に接続されている。
【００３７】
ブランク２００から内部引出し１２の状態に移行するにおいて、壁２０６は、長手方向のフロントバンド１５に対応し、壁２０４は、長手方向のリアバンド１６に対応する。壁２０３及び２０５は、それぞれ、２つの向かい合う長手方向の円弧状バンド１７及び１８を構成する。壁２０２は、内部引出しにおいて、壁２０６に重なり合う接続壁である。
【００３８】
パネル２１６及び２１７は、タブ２２０及び２２１と共に、内部引出し１２の上面壁１３を構成し、一方では、パネル２１４及び２１５は、タブ２１８及び２１９と共に、内部引出し１２の底面壁１４を構成する。
【００３９】
包装箱１はまた、外側包装体２内部に位置し、棒状の物品Ａの長手方向軸がスリーブ１９の長手方向軸２０に平行な状態で一様に間隔をおいて配置されている棒状の物品Ａを支持するように構成されるスリーブ１９を備える（図１１）。スリーブ１９はまた、少なくとも１つの細長い物品Ａを、開口部９を通じて手が届くものにするように構成される閉経路に沿って、外側包装体２内部において棒状の物品Ａを移動させるように構成される。より具体的には、閉経路は、長手方向軸２０に対して横断方向に配置されている。
【００４０】
スリーブ１９内部において、図示されている実施形態において、内部引出し１２を備え、内部引出し１２によって構成されている少なくとも１つの接触ガイド要素がある。より具体的には、スリーブ１９は、接触ガイド要素（内部引出し１２）の外部を取り巻いて巻かれている。
【００４１】
従って、以下、内部引出し１２について言及するが、これにより、本発明の範囲を限定するものではない。
【００４２】
スリーブ１９は、長手方向軸２０に沿って、自由上方端縁２１及び自由下方端縁２２の間において延在する。より具体的には、スリーブ１９は、棒状の物品Ａの長手方向軸がスリーブの長手方向軸２０に平行な状態で一様に間隔をおいて配置されている棒状の物品Ａを受け、支持する。
【００４３】
包装箱１が組み立てられた状態で、本明細書において以下により詳細に記載のように、外側包装体２は、接触ガイド要素（内部引出し１２）において、スリーブ１９の側壁２３に対向して、少なくとも一方の摺動力Ｆ１，Ｆ２をスリーブ１９に加えることを可能にし、上述の閉経路に沿って長手方向軸２０周りに同じスリーブ１９の回転Ｒを発生させる少なくとも１つの開口部１０，１１を有する（図１０）。
【００４４】
好ましくは、スリーブ１９は、上方自由端縁２１が開口部９を通じて手が届くように、外側包装体２内部に位置する。
【００４５】
スリーブ１９の側壁２３は、長手方向軸２０周りに巻かれており、スリーブ１９内部の内部空間に面している内面２３ａ及びスリーブが中に挿入されているときに外側包装体２に面している外面２３ｂを構成する可撓性支持テープ３００によって作られる。自由端縁２１，２２の形状は、側壁２３が巻かれている内部引出し１２の形状に依存する。
【００４６】
長手方向軸２０に沿って測定されるスリーブ１９の長手方向の寸法は、内部引出し１２の長手方向の寸法よりも大きい（図１１）。包装箱１の組立構成において、内部引出し１２は、包装箱１の底面壁４に載置し、開口部１０及び１１において少なくとも部分的に広がる区間Ｌ１にわたってスリーブ１９に軸方向に重ねられている。その結果、スリーブ１９は、区間Ｌ２だけ内部引出し１２の上方に立っている。内部引出し１２は、スリーブ１９用のガイド部を構成し、（下記に記載のように）スリーブ１９がつぶれることを防止し、棒状の物品のための台であって、台上に載っており、かつ、スリーブ１９と一体回転する棒状の物品のための台を設ける。
【００４７】
スリーブ１９は、複数の細長空洞２４を有する。各細長空洞２４は、その長手方向軸２５に沿って細長空洞２４に挿入し、細長空洞２４から取り出すことができる１本の細長い物品Ａを収納するように、長手方向軸２５に沿って延在する。細長空洞２４の長手方向軸２５は、互いに及びスリーブ１９の長手方向軸２０に平行である。
【００４８】
細長空洞２４は、例えば、可撓性支持テープ３００に貼り付けられる固定テープ４００によって、外側包装体２の内部に向かって側壁２３から突き出るように形成されている。
【００４９】
細長空洞２４は、スリーブ１９の上方自由端縁２１から手が届く開口部２６を有する。好ましくは、細長空洞２４は、開口部２６と反対側の端に配置されており、細長空洞２４の内部に面している支持台２７を有する。より具体的には、支持台２７は、固定テープ４００の一部分又は可撓性支持テープ３００の一部分を折り畳むことによって作られる。
【００５０】
スリーブ１９は、少なくとも１つの細長空洞２４の開口部２６が開口部９を通じて手が届くように、外側包装体２に配置されている。
【００５１】
細長空洞２４は、スリーブ１９内部の内部空間に面している。より具体的には、細長空洞２４は、内面２３ａにおいて側壁２３から突き出るように形成されている。
【００５２】
細長空洞２４は、Ｌ２よりも少ない又はＬ２と等しい区間にわたって、それぞれの長手方向軸２５に沿って延在する。より具体的には、長手方向軸２０に沿って測定される固定テープ４００の寸法は、Ｌ２と等しい。
【００５３】
可撓性支持テープ３００は、図５に示されており、固定テープ４００は、図６に示されている。
【００５４】
可撓性支持テープ３００は、略細長い矩形形状を有し、長手方向軸３０１に沿って延在する。図５は、細長空洞２４が延在する長手方向軸２５及び可撓性支持テープ３００の固定テープ４００によって占められる空間を構成する外周３０２を示す。
【００５５】
固定テープ４００は、略細長い矩形形状を有し、長手方向軸４０１に沿って延在する。図６は、交互のパネル４０４及び４０５を構成する、符号４０２を付されている横断方向の脆弱折曲ラインの第１のセット及び符号４０３を付されている横断方向の脆弱折曲ラインの第２のセットを示す。横断方向の脆弱折曲ライン４０２及び横断方向の脆弱折曲ライン４０３によって規定されている各パネル４０４は、図７又は図８に示すように、適切に湾曲された場合の細長空洞２４を構成する。横断方向の脆弱折曲ライン４０２及び横断方向の脆弱折曲ライン４０３は、長手方向軸４０１に垂直に及び組立構成のそれぞれの細長空洞２４の長手方向軸２５に平行になるように延びる。各パネル４０５は、可撓性支持テープ３００に固定テープ４００を固定するための一部分を構成する。
【００５６】
各パネル４０４に対して、固定テープ４００は、長手方向軸４０１に平行に及び横断方向の脆弱折曲ライン４０２及び４０３に垂直に延びている切断線４０６を有する。各切断線４０６は、長手方向軸４０１に平行なパネル寸法に対して、それぞれのパネル４０４の中央部分に位置する。更に、各切断線４０６は、長手方向軸４０１に垂直なパネル寸法に対して、それぞれのパネル４０４の下側部分に位置する。
【００５７】
少なくとも３本の横断方向の脆弱折曲ライン４０７は、それぞれの切断線４０６に対して、固定テープ４００の下方端縁に向かって、垂直に延在する。切断線４０６及び固定テープ４００の下方端縁の間に含まれている部分は、スリーブ１９の組立構成において支持台２７を形成するように成形することができる可撓性ストリップ４０８を構成する。代替の実施形態において、ストリップ４０８は、同じパネル４０４上に平行に延びている２本の切断線４０６間において構成されている。
【００５８】
スリーブ１９を作るために、固定テープ４００は、図７及び図８に示す形状に形成されており、パネル４０５において可撓性支持テープ３００に固定されている。パネル４０４は、可撓性支持テープ３００に対して湾曲されて、細長空洞２４を形成し、パネル４０５は、可撓性支持テープ３００に平行であり、可撓性支持テープ３００に重ねられている。ストリップ４０８は、パネル４０４の湾曲部と向かい合う方向に折り重ねられて、それぞれの細長空洞２４の支持台２７を構成する。
【００５９】
より具体的には、図８は、図示されている２つのパネル４０４が湾曲されている成形された固定テープ４００の詳細を示す。パネル４０４の左側のストリップ４０８は、さらに、それぞれのパネル４０４の湾曲部をたどっており、一方、パネル４０４の右側のストリップ４０８は、それぞれのパネル４０４の湾曲部と向かい合う方向に既に変形されて、支持台２７を構成する。
【００６０】
図７は、固定テープ４００を成形し、固定テープ４００を可撓性支持テープ３００に結合することによって形成されている複合テープ５００を示す。複合テープ５００には、細長空洞２４と、細長空洞２４の中に収納され、それぞれが、それぞれの支持台２７に載置しているそれぞれの棒状の物品Ａとが示されている。スリーブ１９を得るために、複合テープ５００は、細長空洞２４が、スリーブ内部の内部空間に面するように、巻かれている。換言すると、固定テープ４００は、スリーブ１９の内面２３ａを形成する可撓性支持テープ３００の表面に固定されている。
【００６１】
図１１を参照すると、ブランク１００は、外側包装体２を作るように、折り重ねられ、成形される。図９及び図１１を参照すると、固定テープ４００は、成形され、可撓性支持テープ３００に結合され、可撓性支持テープ３００とともに長手方向軸２０周りに巻かれて、スリーブ１９を形成する。ブランク２００は、内部引出し１２を作るように、折り重ねられ、成形される。スリーブ１９は、内部引出し１２に嵌め込まれ、外側包装体２に挿入される。外側包装体２の底面壁４（又は上面壁３）は、好ましくは、少なくともスリーブ１９が、抽出され、交換することができるように、可逆的に再度閉じることができる（押し込み型フラップ）。
【００６２】
棒状の物品Ａは、細長空洞２４に軸方向に挿入される。
【００６３】
スリーブ１９の代替の実施形態（図示せず）において、支持台２７は、存在せず、棒状の物品Ａは、内部引出し１２の上面壁１３又は外側包装体２の底面壁４に直接載置する。
【００６４】
更なる実施形態（図示せず）において、スリーブ１９は、可撓性支持テープ３００のみで作られる。可撓性支持テープ３００には、適切に円弧状の細長空洞２４を構成する固定テープ４００の折曲ライン４０２及び４０３と同様の、一様に間隔をおいて配置されている横断方向の脆弱折曲ラインの２つのセットがあり、必要に応じて、固定テープ４００の刻み目４０６及び折曲ライン４０７と同様の、平行な刻み目及び横断方向の脆弱折曲ラインがある。スリーブ１９のこの実施形態において、棒状の物品Ａは、外側包装体２の側方の内面と部分的に接触し、回転Ｒの間にこの内面に対して摺動する。
【００６５】
図１及び図１０は、組み立てられた状態の包装箱１を示し、開口部９を通じて細長空洞２４のうちの１つに収納されている棒状の物品Ａのうちの１本が突出している外側包装体２を示す。これにより、ユーザは、長手方向軸２５に沿って、それぞれの細長空洞から細長い物品をつまみ出すことができる。別の細長い物品を取り出すために、ユーザは、それぞれ、開口部１０及び１１において、指（より具体的には、親指及び人差し指）をスリーブ１９の外面２３ｂに置き、スリーブ１９を内部引出し１２周りに摺動させる。より具体的には、ユーザは、図１０に示すように、内部引出し１２及び外側包装体２の間に配置されているスリーブ１９の回転Ｒを発生させるように、それぞれ、２つの窓１０及び１１において、反対方向の摺動力Ｆ１及びＦ２を加える。
【００６６】
代替的には、２つの窓１０，１１のうちの１つのみが存在し、ユーザは、一方の摺動力のみを加える。
【００６７】
内部引出し１２は、スリーブ１９用の支持ガイド要素を構成し、ユーザが物品を取り出した後に、スリーブ１９が内向きにつぶれることを防止する。換言すると、内部引出し１２は、スリーブ１９を支持し、その摺動移動を案内して、細長い物品を開口部９において提供できるように構築される。
【００６８】
内部引出し１２は、更なる内部補強カラー（図示せず）を備えてもよい。
【００６９】
提案されている実施形態において、内部引出し１２は、好ましくは、ブランク２００をマンドレル周りに巻くことによって、得ることができる。マンドレル周りに形成することは、スリーブ１９の正確な案内及び摺動を可能にする断面形状を最善に確実にする技法である。
【００７０】
図２及び図１３は、図１に示す実施形態と共通するものが、同じ参照番号によって示されている包装箱１の異なる実施形態を示す。包装箱１’は、互いに平行で略平らな長手方向のフロントバンド５及び長手方向のリアバンド６と、平行で略平らであり、フロントバンド５及びリアバンド６を互いに連結する２つの長手方向の側部バンド７，８とを有する外側包装体２の形状が、包装箱１と異なる。更に、開口部９は、上面壁３の一部及びその下にある側部バンド７の一部を備え、包装箱１’が初めて開かれるときに裂くことができる易裂性脆弱ライン２９及び３０によって外側包装体２の他の部分に連結されているコーナー部分２８によって、最初には閉じられている。
【００７１】
図１２は、図２の包装箱１’の実施形態を作るために用いられるブランク１００’を平面視で示し、図３に示すブランク１００の実施形態と構造的に及び機能的に共通するものが同じ参照番号によって示されている。
【００７２】
ブランク１００’は、略細長の矩形形状を有し、長手方向軸１０１に沿って延在し、符号１０３，１０４，１０５，１０６及び１０２を付されている５つの略矩形の横断方向の壁を有する。横断方向の壁１０３，１０４，１０５，１０６及び１０２は、軸１０１に垂直であり、それぞれ、左から右の順に、符号１０８，１０９，１１０及び１０７を付されている線によって対になって互いに連結されている。
【００７３】
ブランク１００’はまた、それぞれ、図１２において、その上部及び下部区域において、符号１１１及び１１２を付されている２本の横断方向の脆弱折曲ラインを備える。
【００７４】
図１２の壁１０４及び１０６の下部の区域において、略矩形形状であり、側部が壁１０４及び１０６のそれぞれの側部に平行であるそれぞれの開口部１１４及び１１５がある。
【００７５】
２つのパネル１１６及び１１７は、それぞれ、壁１０４の下部及び１０６の下部を規定する脆弱ライン１１１の部分に接続されている。
【００７６】
２つの更なるパネル１２１及び１２２は、それぞれ、壁１０４の上部及び壁１０６の上部を規定する脆弱ライン１１２の部分に接続されている。脆弱ライン１１２に対するパネル１２１及び１２２の形状及び位置は、脆弱ライン１１１に対するパネル１１６及び１１７の形状及び位置を実質的に反映する。
【００７７】
パネル１１６及び１１７と交互になって、それぞれ、壁１０３及び１０５に接続されているそれぞれのタブ１２４，１２５がある。タブ１２６は、壁１０３の上部を規定する脆弱ライン１１２の部分に接続されている。軸１０１に垂直な方向に、壁１０５は、壁１０３よりも短く、脆弱ライン１１１及び易裂性脆弱ライン２９の間に延在する。壁１０４及び１０６は、脆弱ライン２９を部分的に延在させるそれぞれの切断線１３１，１３２に沿って分離可能な（例えば、円の１／４の外周のように成形される）切り欠きコーナーを有する。パネル１３３は、パネル１２１，１２２及び壁１０４，１０５及び１０６の間に配置されている。パネル１３３は、引き裂き脆弱ライン２９によって壁１０５に接続されており、易裂性脆弱ライン３０によってパネル１２２に接続されている。パネル１３３に沿って、軸１０１及び横断方向の脆弱折曲ライン１１２に垂直な線１０９及び１１０は、延びている。パネル１３３は、組み立てられた包装箱１’において、上面壁３の一部及びその下にある側部バンド７の一部を備える部分２８を作るように構成される。
【００７８】
ブランク１００’から外側包装体２の状態に移行するにおいて、壁１０６は、長手方向のフロントバンド５に対応し、壁１０４は、長手方向のリアバンド６に対応する。これにより、ブランク１００の開口部１１５及び１１４は、外側包装体２の開口部１０及び１１を構成する。壁１０３及び１０５は、それぞれ、２つの向かい合う長手方向のバンド７及び８を構成する。壁１０２は、外側包装体において、壁１０３に重ねられる接続壁である。
【００７９】
パネル１１６及び１１７は、タブ１２４及び１２５と共に、外側包装体２の底面壁４を構成し、一方では、パネル１２１及び１２２は、タブ１２６と共に、外側包装体２の上面壁３を構成する。パネル１３３は、部分２８を構成し、外側包装体２の上方開口部９を閉じる。
【００８０】
本発明に係る包装箱によれば、物品が誤って落下することを防止し、物品がより取り出し易くなる鉛直方向の位置に物品を維持するという、予め設定されている目的を達成する。物品はまた、互いから分離され間隔をおいて配置されている状態に維持され、これにより、制御できない移動及び互いにぶつかり合うことによって引き起こされる損傷を回避する。
【００８１】
これらの目的は、外側包装体２、スリーブ１９及び接触ガイド要素（内部引出し１２）を組み立てることによって達成される。
【００８２】
更に、支持スリーブ１９内部の内部空間に向かって棒状の物品Ａを誘導することによって、押す表面を作り出すために、スリーブの表面を外部において滑らかに維持することが可能である。更に、内部引出し１２の最小寸法（厚さ）は、スリーブ１９が移動されるときに互いにぶつかり合うことなく、物品が摺動することができるように、物品の突出部分を収納するために必要とされる。また、それによれば、物品間の間隔を最小限にして、隣接する物品が互いに接触することなく、内部引出しの丸みを帯びた端周りの回転を確実にすることを可能にする。
【図１】
2018519224.tif 000003
【図２】
2018519224.tif 000004
【図３】
2018519224.tif 000005
【図４】
2018519224.tif 000006
【図５】
2018519224.tif 000007
【図６】
2018519224.tif 000008
【図７】
2018519224.tif 000009
【図８】
2018519224.tif 000010
【図９】
2018519224.tif 000011
【図１０】
2018519224.tif 000012
【図１１】
2018519224.tif 000013
【図１２】
2018519224.tif 000014
【図１３】
2018519224.tif 000015
【国際調査報告】
2018519224.tif 000016
2018519224.tif 000017